(57)【要約】【課題】役物軸機構の趣向性を高めた演出を可能とし、スペースを小さくし、部品点数を低減する。【解決手段】  役物軸機構１は、回転軸２の相違する箇所に同軸上に第１歯車３及び第２歯車４が固定され、第１歯車３が変速機構５と噛合し、第２歯車４と噛合する揺動機構６によりスライダ７が中心部材８に対してスライドし、回転軸２が中心部材８の孔９を貫通し、中心部材８が変速機構５を介して第１歯車３と連結され、中心部材８が回転軸２を中心として回転する。【選択図】        図２
2009148356.tif 000002
【特許請求の範囲】
【請求項１】
回転軸の相違する箇所に同軸上に第１歯車及び第２歯車が固定され、
前記第１歯車が変速機構と噛合し、
前記第２歯車と噛合する揺動機構によりスライダが中心部材に対してスライドし、
前記回転軸が中心部材の孔を貫通し、前記中心部材が前記変速機構を介して前記第１歯車と連結され、前記中心部材が前記回転軸を中心として回転することを特徴とするパチンコ遊技機の役物軸機構。
【発明の詳細な説明】
【技術分野】
【０００１】
本発明は、パチンコ遊技機の役物軸機構、特に、モータの駆動力が、軸に取り付けられた歯車を経て伝達され、役物が可動するパチンコ遊技機の役物軸機構に関する。
【背景技術】
【０００２】
従来、特許文献１〜１２に示す通り、モータ等の駆動源と歯車等の伝達機構とを用いて、駆動源の動力を役物の可動部に伝達し、この可動部の動きにより遊技の演出を行い、趣向性を確保している。
【０００３】
【特許文献１】特開２００６−７５２１３号公報
【特許文献２】特開２００４−１２９８７５号公報
【特許文献３】特開２００６−１４２０６２号公報
【特許文献４】特開２００６−１４８３４号公報
【特許文献５】特開２００５−１１０７１５号公報
【特許文献６】特開２００４−１４１２１９号公報
【特許文献７】特開２００６−２１８０００号公報
【特許文献８】特開２００６−３３４１７９号公報
【特許文献９】特開平８−１９１９３４号公報
【特許文献１０】特開２００６−１８１０２６号公報
【特許文献１１】特開２００６−４２９０５号公報
【特許文献１２】特開２００４−２８３２３０号公報
【発明の開示】
【発明が解決しようとする課題】
【０００４】
しかしながら、いずれの従来技術も、モータと可動物の間に１個又は１系統の歯車を介在させて役物の可動物を直線運動又は円運動に駆動することが一般的であり、趣向性に限界があった。また、２つ以上の部材を駆動する場合には、駆動軸が複数になり、部品点数が増大し、モータからの駆動力を役物に伝達する駆動機構にスペースをとるという問題があった。
【０００５】
そこで、本発明は、モータと歯車を使用して趣向性の高い可動物の運動を実現するとともに、駆動機構のスペースを削減するパチンコ遊技機の役物軸機構を提供することを目的とする。
【課題を解決するための手段】
【０００６】
以上の課題に鑑み、本発明がなされたものであり、回転軸（２）の相違する箇所に同軸上に第１歯車（３）及び第２歯車（４）が固定され、第１歯車（３）が変速機構（５）と噛合し、第２歯車（４）と噛合する揺動機構（６）によりスライダ（７）が中心部材（８）に対してスライドし、回転軸（２）が中心部材（８）の孔を貫通し、中心部材（８）が変速機構（５）を介して第１歯車（３）と連結され、中心部材（８）が回転軸（２）を中心として回転することを特徴とするパチンコ遊技機の役物軸機構である。
【０００７】
回転軸（２）の相違する箇所に同軸上に第１歯車（３）及び第２歯車（４）が固定される態様例には、Ｄ型にカットされた回転軸（２）と、Ｄ型にカットされた歯車（３）（４）の軸孔との組み合わせが挙げられる。
【０００８】
回転軸（２）に固定された歯車（３）（４）は同一速度となるように固定してあることが好ましい。歯車（３）に歯合する変速機構（５）が、中心部材（８）の第１部材（１１）に対する回転速度を変えるように設定してあることが好ましい。これにより、中心部材（８）と第１部材（１１）とが速度を変えて回転することが好ましい。歯車（４）が、揺動機構（６）を介して、スライダ（７）をスライドさせることが好ましい。
【０００９】
このスライダ（７）は、中心部材（８）が回転することにより、その回転する中心部材（８）とともにスライダ（７）が回転するようになっていることが好ましい。回転軸（２）の回転に伴い、第１部材（１１）が回転するようになっていることが好ましい。
【００１０】
１つのモータ（１７）で、歯車（３）（４）が同軸上で回転することで、中心部材（８）、第１部材（１１）、第２部材（１２）の全体を回転させながら、中心部材（８）に対して、第１部材（１１）と第２部材（１２）とが相違する動きをすることが好ましい。スライダ（７）の動きによって、第２部材（１２）が回転しながら開閉動作等を行うことが好ましい。
従来、複数の回転軸に対応するモータ等が複数必要だったのであるが、本発明により、スペースを小さくして、回転軸の数、或いは、モーター数も減らすことができる。
【発明の効果】
【００１１】
請求項１の発明によれば、趣向性の高い演出が可能となり、役物軸機構のスペースを小さくすることができるとともに、部品点数を低減することができる。
【発明を実施するための最良の形態】
【００１２】
以下、本発明の実施の形態に係るパチンコ遊技機の役物軸機構１について図１〜図６を参照して説明する。
【００１３】
この役物軸機構１は、図１〜図３に示す通り、回転軸２の相違する箇所に同軸上に第１歯車３及び第２歯車４が固定され、第１歯車３が変速機構５と噛合し、第２歯車４と噛合する揺動機構６によりスライダ７が中心部材８に対してスライドし、回転軸２が中心部材８の孔９を貫通し、中心部材８が変速機構５を介して第１歯車３と連結され、中心部材８が回転軸２を中心として回転することを特徴とするものである。また、この役物軸機構１を内蔵するように備えた役物１０が図１に示されている。以下、詳細な構造を説明する。
【００１４】
この役物１０は、胴体を模した中心部材８の上部に配置され、頭部を模し回転軸２に固定された回転可能な第１部材１１と、中心部材８に対して開閉動作を行う第２部材１２と、中心部材８、第１部材１１、第２部材１２と一体に動く土台１３と、この土台１３が傾動自在に取り付けられるベース１４と、土台１４を傾動させる傾動軸１５と、傾動軸１５を中心として、土台１４を傾動させる傾動機構１６と、傾動機構１６と変速機構５を駆動する駆動軸１７ａを備えたモータ１７と、を備えたものである。
【００１５】
回転軸２の複数箇所にブッシュ２０〜２４が嵌められ、回転軸２が自転可能となっている。この回転軸２は断面がＤ字形にカットされている。
【００１６】
第１歯車３の中心にＤ字形にカットされた孔３０が形成され、孔３０に回転軸２が通されることで、第１歯車３が回転軸２に固定されている。
【００１７】
第２歯車４の中心にＤ字形にカットされた孔４０を備えた凸部４１が軸方向に形成され、孔４０に回転軸２が通されることで、第２歯車４が回転軸２に固定されている。この第２歯車４は、第１歯車３とは回転軸２の相違する箇所に同軸上に固定される。
【００１８】
変速機構５は、歯数の多い歯車部５０と、歯数の少ない歯車部５１とが一体に形成され中央に貫通孔５２が形成された２段歯車５Ａ、及び、中心部材８の貫通孔９の裏面に一体に形成された歯車５Ｂ（図２、図５、図６参照）を含み構成されたものである。
【００１９】
揺動機構６は、中央に貫通孔６０とその周囲から立設されたピン６１とを備えた歯車６Ａと、ピン６１が遊嵌される細長溝例えば小判形状の貫通孔６Ｂと、を備えたものである。この貫通孔６Ｂは後述のスライダ７に形成されている。歯車６Ａが第２歯車４と歯合している。歯車６Ａがピン６２により中心部材８に回転可能に取り付けられている。
【００２０】
スライダ７は、前述した貫通孔６Ｂと、例えばＵ字形状の逃がし溝７０と、隅（ここでは４箇所）に形成された逃がし凹部７１と、複数箇所に例えば対称に設けた係止孔７２と、係止孔７２と直交する複数（ここでは２個）の凸条７３と、を備えたものである。凸条７３はその上部に配置される図示せぬ凹条に案内され、これによりスライダ７が摺動しながら往復運動を行う。係止孔７２内にアーム１２０の係止部（図示略）が係合している。
【００２１】
中心部材８は、平板部８０と、平板部８０から上方に延び出す壁部８１と、から構成されている。平板部８０に前述の孔９と、一対の貫通孔８２と、歯車６Ａが取り付けられる取付部８３と、を備えている。
【００２２】
孔９にはブッシュ２２が嵌合するようになっており、ブッシュ２２の中心孔を回転軸２が貫通している。
【００２３】
第１部材１１が回転軸２の上部に固定され、一体に回転するようになっている。
【００２４】
第２部材１２が、左右一対のアーム１２０と、アーム１２０の基部に形成され軸１２１（図３参照）とワッシャ１２２とを備える支持部１２３と、を備えている。このアーム１２０が左右に開閉する。また、例えば、アーム１２０の開放時に内部に入賞できるように入賞部を形成してもよい。
【００２５】
土台１３は、図４に示す通り、ブッシュ２０が取り付けられる取付孔１３０と、モータ駆動軸１７ａのための取付孔１３１、傾動軸１５を支持する一対の軸受１３２と、を備えている。
【００２６】
ベース１４は、図４に示す通り、土台１３が収容できる大きさに設定された箱型体に形成されたものであって、軸受１４０を備えている。この軸受１４０が傾動軸１５を支持している。
【００２７】
傾動軸１５は、土台１３とベース１４に対して、水平に配置されたものであり、土台１３をベース１４に対して矢印Ｄ（図６（ｂ）参照）に示す通り傾動させるものである。
【００２８】
傾動機構１６は、土台１３を傾動軸１５の周りに傾動させる機構であり、変速機構５の歯車５０と歯合する歯車１６０と、ピン１６１を備えた歯車１６２と、を備えている。また、傾動機構１６は、歯車１６０から歯車１６２へ動力を伝達するため、土台１３に配置された軸１６３〜１６５と、軸１６４，１６３にそれぞれ取り付けられた歯車１６６、１６７（かさ歯車）と、軸孔１６８と、ピン１６１を左右方向に案内するための凹条を横方向に形成した案内部１６９と、を備えたものである。歯車１６０が回転すると、各歯車１６６、１６７、１６２が軸の周りを回転し、ピン１６１が摺動しながら往復運動を行う。この傾動機構１６の構造、動作は、当業者に理解できるので、説明は割愛する。
【００２９】
〔実施形態の動作〕
次に、実施形態に係る役物軸機構１を備えた役物１０の動作の一例につき説明する。役物軸機構１は必要に応じて遊技盤に対して縦置き、横置きいずれでも配置できる。まず、モータ１７がモータ軸１７ａに取り付けられた変速機構５を回転させると、歯車部５０が第１歯車３と歯車１６０とを回転させる。第１歯車３の回転により、回転軸２が一体に回転し、これに伴い、第１部材１１が同じ速度で図１の矢印Ａ方向に回転し、また、第２歯車４が一体に回転し、第２歯車４により歯車６が回転し、ピン６１が貫通孔６Ｂ内をスライドし、これにより、スライダ７が図３矢印Ｅ方向にスライドする。スライドの際、逃がし溝７０があるため、ブッシュ２３はスライダ７に当たらないようになっている。このスライダ７のスライドによって、第２部材１２のアーム１２０が図１の矢印Ｃ方向に開閉動作を行う。一方、歯車５Ａの歯車部５１が歯車５Ｂを回転させ、これにより、回転軸２の周りを中心部材８が図３の矢印Ｂ方向に回転する。変速機構５の作用によって、中心部材８と第１部材１１の回転速度が相違する。さらに、図６の矢印Ｄ方向に示す通り、土台１３が傾動する。これに伴い、中心部材８、第１部材１１、及び第２部材１２が傾動する。
【００３０】
このように、１つの回転軸２によって、中心部材８と第１部材１１とが相違する速度で回転し、また、第２部材１２が開閉動作を行う。具体的には、中心部材８が１回転すると、第１部材１１が４回転し、スライダ７が３回スライドし、第２部材１２が３回開閉する。そして、遊技盤（図示略）の遊技領域（図示略）に打出されたパチンコ球は、遊技盤（図示略）上に設けた遊技釘（図示略）、或いは、役物１０に接触して流下方向を変更しながら流下する。これにより、遊技球の流下方向が転換され、趣向性が高くなる。なお、土台１３等に入球口を形成し、アーム１２０が左右に開放した場合に、入球口に流入したりする等、遊技球が入球できる機能を付加してもよい。
【００３１】
その他、遊技領域に打ち出されたパチンコ球が例えば、以下のような挙動を示すような機能を付加してもよい。遊技領域（図示略）を流下するパチンコ球が普通始動通過口（図示略）を通過すると、普通図柄表示装置（図示略）において普通図柄変動ゲームが開始される。普通図柄変動ゲームの結果、普通図柄表示装置（図示略）に当り図柄が表示されると、羽根が開放状態になることで、入賞口へのパチンコ球の入賞が許容される状態となる。入賞口への所定球数の入賞又は所定時間経過により、羽根が閉鎖状態になる。
【００３２】
入賞口に遊技球が入賞すると、特別図柄表示装置（図示略）において所定の特別図柄変動ゲームが開始されると共に、球払出装置により所定数の賞球が払い出される。そして、特別図柄変動ゲームの結果、特別図柄表示装置（図示略）に特定の図柄組合わせ(大当り図柄)が表示されると、特別遊技が発生して特別入賞装置（図示略）の開閉扉（図示略）が開放し、パチンコ球の入賞が許容される。
【００３３】
〔実施形態の効果〕
役物軸機構１は、１つの回転軸２により、第１部材１１と中心部材８の回転動作、第２部材１２の開閉動作といった、３つの異なる動きを行うことができ、趣向性の高い演出ができ、かつ、スペースの無駄をなくし、部品点数を少なくすることができる。また、モータ１７を１個に削減することができる。
【００３４】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。
【図面の簡単な説明】
【００３５】
【図１】本発明実施形態の役物軸機構を利用した役物の外観斜視図である。
【図２】本発明実施形態の役物軸機構の斜視図である。
【図３】本発明実施形態の役物軸機構の分解斜視図である。
【図４】本発明実施形態の役物軸機構の土台とベースの分解斜視図である。
【図５】（ａ）同じく役物軸機構の右側面図、（ｂ）同じく平面図である。
【図６】（ａ）同じく役物軸機構の背面図、（ｂ）同じく左側面図である。
【符号の説明】
【００３６】
１・・・役物軸機構  ２・・・回転軸  ３・・・第１歯車  ４・・・第２歯車
５・・・変速機構  ６・・・揺動機構  ７・・・スライダ  ８・・・中心部材
９・・・孔  １０・・・役物  １１・・・第１部材  １２・・・第２部材
１３・・・土台  １４・・・ベース  １５・・・傾動軸  １６・・・傾動機構
１７ａ・・・駆動軸  １７・・・モータ  ブッシュ・・・２０〜２４
３０，４０・・・孔  ４１・・・凸部  ５０，５１・・・歯車部
５２・・・貫通孔  ５Ａ・・・２段歯車  ５Ｂ・・・歯車  ６０・・・貫通孔
６１・・・ピン  ６Ａ・・・歯車  ６Ｂ・・・貫通孔  ６２・・・ピン
７０・・・逃がし溝  ７１・・・逃がし凹部  ７２・・・係止孔
８０・・・平板部  ８１・・・壁部  ８２・・・貫通孔  ８３・・・取付部
１２０・・・アーム  １２１・・・軸  １２２・・・ワッシャ  １２３・・・支持部
１３０，１３１・・・取付孔  １３２・・・軸受  １４０・・・軸受  １６０・・・歯車
１６１・・・ピン  １６２，１６６，１６７・・・歯車  １６３〜１６５・・・軸
【図１】
2009148356.tif 000003
【図２】
2009148356.tif 000004
【図３】
2009148356.tif 000005
【図４】
2009148356.tif 000006
【図５】
2009148356.tif 000007
【図６】
2009148356.tif 000008